(57)【要約】      （修正有）【課題】二種類の標識を備え、それぞれの標識を必要に応じて容易かつ迅速に表示することのできる標識表示装置を提供する。【解決手段】本体１０と、本体の背面に回動可能に設けられた脚体と、本体の下端部に設けられた下受け部３０と、本体の上端部に設けられた上受け部４０と、本体に形成した主標識掲示部５０と、下受け部３０と上受け部４０とによって左右に展開可能および巻取り可能に支持され、展開状態では主標識掲示５０部を覆い隠し、巻取り状態では主標識掲示部５０を露出させる副標識６０とを設ける。下受け部３０の左右両端部に、展開状態の副標識６０の左右両下端部が挿入される左下展開筒部３１と右下展開筒部３３を設ける。また、上受け部４０の左右両端部にも同様の展開筒部４１、４３を設ける。下受け部３０の左右両端部に、展開筒部３１、３３に隣接して、巻取り状態の副標識６０の左右両下端部が挿入される左下巻取筒部３２と右下巻取筒部３４を設ける。【選択図】図１
0003207400.tif 000002
【実用新案登録請求の範囲】
【請求項１】
四角枠状の本体（１０）に対して、
該本体の下端部左右に設けられた下受け部（３０）と、
前記本体の上端部左右に設けられた上受け部（４０）と、
前記下受け部と前記上受け部とによって左右に展開および巻取りが可能に支持され、展開状態では、前記本体前面に取付けられる主標識掲示部（５０）を覆い隠し、巻取り状態では前記主標識掲示部を露出させる柔軟シート製副標識（６０）と、を備えた標識表示装置。
【請求項２】
下受け部の左端部に、展開状態の前記副標識の左下端部が挿入される左下展開筒部（３１）を設けると共に、前記下受け部の右端部に、展開状態の前記副標識の右下端部が挿入される右下展開筒部（３３）を設け、
前記上受け部の左端部に、展開状態の前記副標識の左上端部が保持される左上展開筒部（４１）を設けると共に、前記上受け部の右端部に、展開状態の前記副標識の右上端部が保持される右上展開筒部（４３）を設け、
前記下受け部の左端部に、前記左下展開筒部に隣接して、巻取り状態の前記副標識の右下端部が挿入される左下巻取筒部（３２）を設けると共に、前記下受け部の右端部に、前記右下展開筒部に隣接して、巻取状態の前記副標識の左下端部が挿入される右下巻取筒部（３４）を設け、
前記上受け部の左端部に、前記左上展開筒部に隣接して、巻取り状態の前記副標識の右上端部が保持される左上巻取筒部（４２）を設けると共に、前記上受け部の右端部に、前記右上展開筒部に隣接して、巻取状態の前記副標識の左上端部が保持される右上巻取筒部（４４）を設け、
前記下受け部を、前記本体から着脱可能としたことを特徴とする請求項１に記載の標識表示装置。
【請求項３】
下受け部（３０）と、上受け部（４０）とが四角枠状の本体（１０）に対して、着脱可能であることを特徴とする請求項１または２に記載の標識表示装置。
【考案の詳細な説明】
【技術分野】
【０００１】
本考案は、主副二種類の標識を備え、いずれの標識も必要に応じて容易かつ迅速に表示することのできる標識装置に関する。
【背景技術】
【０００２】
例えば、道路工事や建築工事において、人や車両の通行を制限したり、あるいは注意を喚起するために、その旨を示した「道路工事中」などの看板形状の標識を道路上などに立てて表示することが多々ある。
【０００３】
こうした標識を表示することによって注意を促して、人や車両の安全な通行を保つことができる。
【０００４】
従来の標識は一種類の内容を示すものであるため、例えば、道路工事が一時的に中断する場合、その「道路工事中」の標識の上に、「一時中断中」などの別な標識を取り付ける必要がある。そこで、掛け軸式の垂れ幕型副標識を既存の主標識の上に掛けて使用することもあるが、迅速性に欠け、取り扱いが不便であった。
【考案の概要】
【考案が解決しようとする課題】
【０００５】
本考案はこうした点に鑑み創案されたもので、二種類の標識を備え、それぞれの標識を必要に応じて容易かつ迅速に表示することのできる標識表示装置を提供することを課題とする。
【課題を解決するための手段】
【０００６】
図１乃至図６を参照して説明する。第１の考案の標識表示装置１は、四角枠状の本体１０に対して、該本体１０の下端部左右に設けられた下受け部３０と、前記本体１０の上端部左右に設けられた上受け部４０と、前記下受け部３０と上受け部４０とによって左右に展開可能および巻取りが可能に支持され且つ展開状態では、本体前面に取付けられる主標識掲示部５０を覆い隠し、而も巻取り状態では前記主標識掲示部５０を露出させる柔軟シート製副標識６０とを備えたものである。
【０００７】
第２の考案の標識表示装置１は、第１の考案の標識表示装置において、下受け部３０の左端部に、展開状態の前記副標識６０の左下端部が支持される左下展開筒部３１を設けると共に、前記下受け部３０の右端部に、展開状態の前記副標識６０の右下端部が挿入される右下展開筒部３３を設ける。
【０００８】
同様に、前記上受け部４０の左端部に、展開状態の前記副標識６０の左上端部が保持される左上展開筒部４１を設けると共に、前記上受け部４０の右端部に、展開状態の前記副標識６０の右上端部が保持される右上展開筒部４３を設ける。
【０００９】
また、前記下受け部３０の左端部に、前記左下展開筒部３１に隣接して、巻取り状態の前記副標識６０の右下端部が挿入される左下巻取筒部３２を設けると共に、前記下受け部３０の右端部に、前記右下展開筒部３３に隣接して、巻取状態の前記副標識６０の左下端部が挿入される右下巻取筒部３４を設ける。
【００１０】
同様に、前記上受け部４０の左端部に、前記左上展開筒部４１に隣接して、巻取り状態の前記副標識６０の右上端部が保持される左上巻取筒部４２を設けると共に、前記上受け部４０の右端部に、前記右上展開筒部４３に隣接して、巻取状態の前記副標識６０の左上端部が保持される右上巻取筒部４４を設ける。
【００１１】
さらに、前記下受け部３０を、前記本体１０から着脱可能とする。なお、上受け部４０も着脱可能とすることができる。
【００１２】
第３の考案の標識表示装置は、第１または第２の考案において、下受け部３０と、上受け部４０とが四角柱状の本体１０に対して、着脱可能にしたものである。
【考案の効果】
【００１３】
第１の考案の標識表示装置１は、下受け部３０と上受け部４０とによって左右に展開可能および巻取り可能に支持され、展開状態では主標識掲示部５０を覆い隠し、巻取り状態では主標識掲示部５０を露出させる副標識６０を備える。従って、主標識５０ａを表示する際は、副標識６０を巻き取り状態とし、その逆に、副標識６０を表示する際は、当該副標識６０を展開する。これにより、主標識５０ａおよび副標識６０のいずれも、容易かつ迅速に表示することができる。
【００１４】
第２の考案標識表示装置１は、請求項１に記載の考案と同様に、主標識５０ａおよび副標識６０のいずれも、容易かつ迅速に表示することができる。また、下受け部３０を着脱可能としたので、使用後は本体１０から取り外すことができ、従って、分解して小型化することにより、収納や搬送が容易となる。
【００１５】
第３の考案の標識表示装置１は、請求項１および２に記載の考案と同様に、主標識５０ａおよび副標識６０のいずれも、容易かつ迅速に表示することができ、また、収納も容易となる。
【図面の簡単な説明】
【００１６】
【図１】本考案に係る標識表示装置の実施形態を示す正面図である。
【図２】図１に示す装置の左側面図である。
【図３】図１に示す装置の副標識の取り付け状態を示す一部断面正面図である。
【図４】図１に示す装置の主標識（（ａ））と副標識（（ｂ））を示す正面図である。
【図５】図１に示す装置の上受け部を示すもので、（ａ）は正面図、（ｂ）は平面図である。
【図６】図１に示す装置の下受け部を示すもので、（ａ）は正面図、（ｂ）は平面図である。
【図７】本考案に係る標識表示装置の実施形態において、副標識を第二支柱に巻き取る工程を示す概略平面図である。
【図８】本考案に係る標識表示装置の実施形態において、副標識を第一支柱に巻き取る工程を示す概略平面図である。
【考案を実施するための形態】
【００１７】
本考案に係る標識表示装置１の一実施形態を、図１乃至図６に示す。この装置１は、本体１０、脚体２０、下受け部３０、上受け部４０、主標識表示部５０および副標識６０を備える。本体１０は金属製であり、正面形状が長方形の枠形状を構成する。脚体２０は金属製で枠形状であり、その上端部が本体１０の背面のほぼ中間高さ部分に水平な軸ピン２１によって回動可能に軸支され、開状態と閉状態を形成する。開状態ではその下端部が路面などに接地し、本体１０を安定姿勢で正立させる。閉状態では本体１０に寄り添った状態となる。
【００１８】
下受け部３０は金属製で、本体１０の下端部に着脱可能に設けられる。上受け部４０は金属製で、本体１０の上端部に着脱可能に設けられる。
【００１９】
主標識５０ａは薄い樹脂などの柔軟性材料で形成され、本体１０の前面全体に取付けられる。副標識６０はその標識本体部６３を薄い樹脂などの柔軟シートで形成し、その左右両端部のそれぞれを、金属や硬質樹脂製などの硬質な第一支柱６１と第二支柱６２に巻取り可能に取り付けている。
【００２０】
これにより、副標識６０は下受け部３０と上受け部４０とによって支持され、左右に展開可能および巻取り可能となる。なお、副標識６０は、展開状態では主標識掲示部５０を覆い隠し、巻取り状態では主標識掲示部５０を露出させる。その主標識５０ａには、例えば、「道路工事中」の文言と共に施工業者の名称などを記載し、副標識６０には「道路工事・一時中断中」の文言と共に、主標識５０ａと同様に施工業者の名称などを記載することができる。
【００２１】
また、本実施形態における下受け部３０は、その左端部に、展開状態の副標識６０の左下端部（第一支柱６１の下端部）が挿入される左下展開筒部３１を設けると共に、その右端部に、展開状態の副標識６０の右下端部（第二支柱６２の下端部）が挿入される右下展開筒部３３を設けている。この左下展開筒部３１と右下展開筒部３３は共に断面略Ｕ字状であり、その底面で副標識６０の第一支柱６１と第二支柱６２の下端を支持する（図３参照）。
【００２２】
また、上受け部４０は、その左端部に、展開状態の副標識６０の左上端部（第一支柱６１の上端部）が挿入保持される左上展開筒部４１を設けると共に、その右端部に、展開状態の副標識６０の右上端部（第二支柱６２の上端部）が挿入保持される右上展開筒部４３を設けている。この左上展開筒部４１と右上展開筒部４３は、共に筒形状である（図３参照）。
【００２３】
さらに、下受け部３０は、その左端部に、左下展開筒部３１に隣接して、巻取り状態の副標識６０の右下端部（第二支柱６２の下端部）が挿入される左下巻取筒部３２を設けると共に、その右端部に、右下展開筒部３３に隣接して、巻取状態の副標識６０の左下端部（第一支柱６１の下端部）が挿入される右下巻取筒部３４を設けている。この左下巻取筒部３２と右下巻取筒部３４は断面略Ｕ字状であり、その底面で第一支柱６１と第二支柱６２の下端を受ける。
【００２４】
またさらに、上受け部４０は、その左端部に、左上展開筒部４１に隣接して、巻取り状態の副標識６０の右上端部（第二支柱６２の上端部）が保持される左上巻取筒部４２を設けると共に、その右端部に、右上展開筒部４３に隣接して、巻取状態の前記副標識６０の左上端部（第一支柱６１の上端部）が保持される右上巻取筒部４４を設けている。この左上巻取筒部４２と右上巻取筒部４４は、筒形状である（図３）。
【００２５】
なお、本実施形態では、下受け部３０を本体１０から着脱可能な構成としている。この構成は限定されるものではないが、例えば、下横棒３５の左右両端にＵ字状部材３６を固定し、そのＵ字状部材３６に左下展開筒部３１および左下巻取筒部３２、あるいは右下展開筒部３３および右下巻取筒部３４を固定する（図６参照）。
【００２６】
また、Ｕ字状部材３６に止めネジ３７を貫通させ、当該Ｕ字状部材３６内に本体１０の下端部１０ａを挿入した状態で、止めネジ３７でそれらを締め付けて固定する。
【００２７】
なお、上受け部４０も同様に、本体１０に対して着脱可能とすることができる。この場合、上横棒４５を、例えば、上横棒４５の左右両端部に左上展開筒部４１、左上巻取筒部４２、右上展開筒部４３および右上巻取筒部４４を取付けると共に、そこから取付用垂下棒４６を垂下設し、その垂下棒４６を本体１０の左右の上端部に挿入することによって構成することができる（図５参照）。
【００２８】
さらに、本実施形態の標識表示装置１は、本体１０の上部を着脱可能な複数の延長枠体部１１で構成し、この延長枠体部１１を着脱することによって、枠体の高さを可能に調節している。なお、延長枠体部１１の左右の上端部には上受け部４０の垂下棒４６を受け入れる孔部が形成されている。
【００２９】
本実施形態に係る標識表示装置１は、例えば、次のように使用することができる。主標識５０ａを本体１０の前面全体に取り付けた状態で、その主標識５０ａを覆い隠す状態の副標識６０を第二支柱６２に巻き取る場合について、図７を参照して説明する。
【００３０】
巻取りを開始する前の状態は、副標識６０の第一支柱６１の下端部が左下展開筒部３１に挿入され、その上端部が左上展開筒部４１に保持されている。また、第二支柱６２の下端部が下受け部３０の右下展開筒部３３に挿入され、その上端部は上受け部４０の右上展開筒部４３に保持されている（図７（ａ））。この状態で、主標識５０ａが副標識６０によって覆い隠され、副標識６０のみが露出して表示されている。
【００３１】
この状態から、副標識６０の第二支柱６２を、右下展開筒部３３および右上展開筒部４３から離脱させる。この際、上受け部４０を本体１０から持ち上げることによって、第二支柱６２を容易に取り外すことができる。次に、離脱した第二支柱６２を回転させて副標識６０の標識本体部６３を巻き取る（図７（ｂ））。この巻取りは時計回り方向に行うのが好ましい。
【００３２】
巻取りが終わった段階で、第二支柱６２の下端部を下受け部３０の左下巻取筒部３２に挿入すると共に、その上端部を上受け部４０の左上巻取筒部４２に保持する（図７（ｃ）。この際、上受け部４０を本体１０から一時的に持ち上げることによって容易に保持することができる。これにより、副標識６０を巻き取った状態とし、主標識５０ａを完全に露出させて表示させることができる。
【００３３】
なお、副標識６０は第二支柱６２に巻き取ることもでき、この場合は、図８に示すように、上記とは逆の方向に向けて同様の作業を行う。この場合、副標識６０の巻取りは反時計回り方向に行うのが好ましい。
【００３４】
また、副標識の水平方向の長さを長くし、複数個の標識画面を連設すれば、標識画面を増やすことができ、三つの以上の標識画面を表示することが可能である。
【００３５】
更に、画面の水平方向幅を変えることにより、横幅の異なる標識表示装置として使用することも出来る。
【００３６】
更にまた、主標識５０ａを取付けずに主標識掲示部５０のみの状態で、副標識６０を使用することも可能である。
【００３７】
本実施形態に係る標識表示装置１は、以下の効果を発揮する。
（ａ）当該装置１における副標識６０は、下受け部３０と上受け部４０とによって左右に展開可能および巻取り可能に支持され、展開状態では主標識５０ａを覆い隠し、巻取り状態では主標識５０ａを露出させる。従って、主標識５０ａを表示する際は、副標識６０を巻き取り状態とし、その逆に、副標識６０を表示する際は、当該副標識６０を展開することによって、主標識５０ａおよび副標識６０のいずれも、容易かつ迅速に表示することができる。
【００３８】
（ｂ）下受け部３０を着脱可能としたので、使用後は本体１０から容易に取り外すことができる。従って、分解状態で小型化し、収納や搬送が容易となる。
【００３９】
（ｃ）本体１０の上部を、着脱可能な複数の延長枠体部１１で構成したので、枠体の高さを可能に調節することができる。その結果、あらゆる高さの標識に容易に対応させることができる。
【００４０】
（ｄ）上受け部４０を着脱可能としたので、必要に応じて本体１０から取り外すことにより、副標識６０の取付けおよび取り外し、およびその展開および巻取りを容易にすることができる。
【００４１】
（ｅ）脚体２０を軸ピン２１によって回動可能に設けたので、開状態では本体１０の正立姿勢を安定させることができると共に、閉状態では本体１０に寄り添った状態として装置１全体の小型化を図ることができる。従って、収納や搬送が容易となる。
【符号の説明】
【００４２】
１        標識表示装置
１０      本体
１０ａ    下端部
１１      延長枠体部
２０      脚体
２１      軸ピン
３０      下受け部
３１      左下展開筒部
３２      左下巻取筒部
３３      右下展開筒部
３４      右下巻取筒部
３５      下横棒
３６      Ｕ字状部材
３７      止めネジ
４０      上受け部
４１      左上展開筒部
４２      左上巻取筒部
４３      右上展開筒部
４４      右上巻取筒部
４５      上横棒
４６      垂下棒
５０      主標識掲示部
５０ａ    主標識
６０      副標識
６１      第一支柱
６２      第二支柱
６３      標識本体部
【図１】
0003207400.tif 000003
【図２】
0003207400.tif 000004
【図３】
0003207400.tif 000005
【図４】
0003207400.tif 000006
【図５】
0003207400.tif 000007
【図６】
0003207400.tif 000008
【図７】
0003207400.tif 000009
【図８】
0003207400.tif 000010